【手続補正書】
【提出日】平成19年9月18日(2007.9.18)
【手続補正１】
【補正対象書類名】明細書
【補正対象項目名】特許請求の範囲
【補正方法】変更
【補正の内容】
【特許請求の範囲】
【請求項１】トレンチの上を延長するためのカバー部材を備える一時的トレンチカバー要素であって、前記カバー部材が、中央トレンチカバー部分により橋架された一対の地面係合部分を有し、前記地面係合部分が、トレンチの外側に配置するための一対の両側部を画定し、前記カバー部材が、前記両側部間を横断方向に延長する一対の横側端部を有し、前記カバー要素が、前記カバー部材の前記中央部分から下向きに延長してトレンチ開口部に関して前記カバーを制限する拘束手段と、一方の横側端部における第１連結手段と反対側の横側端部における相補形の第２連結手段とからなる連結手段とを備え、前記第１又は第２連結手段の一方が、組立て時に類似のカバー要素の前記第１又は第２連結手段の他方の下側と係合するようになっており、
前記カバー要素を前記類似のカバー要素に組み立てたときに、前記カバー要素が、前記カバー要素の組立体をトレンチの外形に追従させ得るように、隣接するカバー要素に関して相対的に移動可能であるように、前記第１及び第２連結手段間での相対的な移動を制限範囲内で可能にするべく、前記第１又は第２連結手段の一方が前記第１又は第２連結手段の他方に関して大きい寸法を有することを特徴とする一時的トレンチカバー要素。
【請求項２】隣接するカバー要素の前記連結手段が、前記トレンチの垂直方向の外形に追従するように垂直方向に相対移動可能であることを特徴とする請求項１に記載のカバー要素。
【請求項３】隣接するカバー要素の前記リンク手段が、前記トレンチの水平方向の外形に追従するように水平方向に相対移動可能であることを特徴とする請求項１又は２に記載のカバー要素。
【請求項４】前記第１連結手段が、カバー部材の横側端部から突出するヘッド部分を有し、かつ前記第２連結手段が、組立て時に隣接する類似のカバー要素の第１連結手段のヘッド部分を受容するべくカバー部材の横側端部に隣接するスロットを有することを特徴とする請求項１乃至３のいずれかに記載のカバー要素。
【請求項５】前記第２連結手段が、前記カバー部材の下面に画定されるスロットを有することを特徴とする請求項１乃至３のいずれかに記載のカバー要素。
【請求項６】前記第２連結手段が、前記カバー部材の下面に画定されるスロットを有することを特徴とする請求項４に記載のカバー要素。
【請求項７】前記スロットが下向きに開口するスロットであり、かつ前記ヘッド部分が前記スロットに下側から係合することを特徴とする請求項６に記載のカバー要素。
【請求項８】前記スロットが前記ヘッド部分に関して大型で、カバー要素が隣接するカバー要素に関して移動してトレンチの外形を追従し得るように、前記ヘッド部分と前記スロット間で制限された相対移動を可能にしていることを特徴とする請求項７に記載のカバー要素。
【請求項９】前記スロットが、前記カバー部材の前記中央部分の下面に画定されることを特徴とする請求項５乃至８のいずれかに記載のカバー要素。
【請求項１０】前記連結手段が、前記カバー部材の横側端部から延長する少なくとも１つのウィングを有することを特徴とする請求項１乃至９のいずれかに記載のカバー要素。
【請求項１１】前記少なくとも１つのウィングがある距離延長して、組み立て時に隣接するカバー要素間の間隙の少なくとも一部分を橋架するようになっていることを特徴とする請求項１０に記載のカバー要素。
【請求項１２】前記カバー部材が、組立て時に隣接するカバー要素の端部ウィングの部分を受容するウィング受容孔を有することを特徴とする請求項１０または１１に記載のカバー要素。
【請求項１３】前記端部ウィングが、前記連結手段の一方又は双方の片側に配置されていることを特徴とする請求項１０または１２に記載のカバー要素。
【請求項１４】２つの横断方向に離隔されたエンドウィングが設けられていることを特徴とする請求項１０乃至１３のいずれかに記載のカバー要素。
【請求項１５】前記第１連結手段が前記カバーの第１横側端部におけるスロットであり、かつ前記または各ウィングが前記第１横側端部から延長していることを特徴とする請求項１０乃至１４のいずれかに記載のカバー要素。
【請求項１６】前記または各エンドウィングが、組立て時に隣接するカバー要素の下側の一方のカバー要素から延長していることを特徴とする請求項１０乃至１５のいずれかに記載のカバー要素。
【請求項１７】少なくとも一方の横側端部が、隣接するカバー要素の端縁部間における限定された相対的な動きを容易にする形状をなすことを特徴とする請求項１乃至１６のいずれかに記載のカバー要素。
【請求項１８】少なくとも一方の端縁部が曲線形状をなすことを特徴とする請求項１７に記載のカバー要素。
【請求項１９】少なくとも一方の端縁部が弓形を成すことを特徴とする請求項１７または１８に記載のカバー要素。
【請求項２０】前記または各端縁部が凸形をなすことを特徴とする請求項１９に記載のカバー要素。
【請求項２１】前記第１連結手段が、一方の横側端部から突出する雄型部分を有し、かつ前記第２連結手段が、組立て時に隣接する類似のカバー要素の前記ヘッド部分を受容するために反対側の横側端部付近にスロットを有し、前記ヘッド部分及びスロットが、前記カバー要素の第１の向きにある前記スロット内への前記ヘッド部分の組立てを容易にするべく、かつ別の組立ての向きにある前記スロットから前記ヘッド部分の取り外しを防止する形状をなすことを特徴とする請求項１乃至４のいずれかに記載のカバー要素。
【請求項２２】前記雄型部分が、突出するヘッド部と、該ヘッド部に関して幅を小さくしたネック部とを有することを特徴とする請求項２１に記載のカバー要素。
【請求項２３】前記スロットが、前記ヘッド部が前記第１の向きに入ることを許容し、かつ前記ヘッド部分が前記組立ての向きに出ることを防止する上部入口開口を有することを特徴とする請求項２２に記載のカバー要素。
【請求項２４】前記スロットが、その中を前記雄型部分の前記ネック部が前記組立ての向きに延長する側部組立て開口を有することを特徴とする請求項２３に記載のカバー要素。
【請求項２５】ハンドル引き上げ手段を有することを特徴とする請求項１乃至２４のいずれかに記載のカバー要素。
【請求項２６】カバー部材がすべり防止面を有することを特徴とする請求項１乃至２５のいずれかに記載のカバー要素。
【請求項２７】トラッキングコード手段を有することを特徴とする請求項１乃至２６のいずれかに記載のカバー要素。
【請求項２８】前記コード手段が前記カバー部材内に収容されていることを特徴とする請求項２７に記載のカバー要素。
【請求項２９】前記カバー部材を固定するためのアンカー手段を有することを特徴とする請求項１乃至２８のいずれかに記載のカバー要素。
【請求項３０】前記アンカー手段が前記カバー要素内またはその上にアンカー構造を有することを特徴とする請求項２９に記載のカバー要素。
【請求項３１】前記アンカー構造がアンカークリップを受容するためのスロットであることを特徴とする請求項３０に記載のカバー要素。
【請求項３２】前記カバー要素が２００ｍｍから５００ｍｍの長さを有することを特徴とする請求項１乃至３１のいずれかに記載のカバー要素。
【請求項３３】前記カバー部材が２００ｍｍから３００ｍｍの長さを有することを特徴とする請求項３２に記載のカバー要素。
【請求項３４】前記カバー要素が３００ｍｍから４００ｍｍの長さを有することを特徴とする請求項３２に記載のカバー要素。
【請求項３５】請求項１乃至３４のいずれかに記載される多数のカバー要素からなるカバーアセンブリ。